(57)【特許請求の範囲】
【請求項１】
所定信号に起因する抽選処理を実行して、その抽選結果に対応する画像演出並びに種々の図柄の変動を表示手段に表示させる遊技機であって、
遊技の進行に応じて所定の音を出力させる音出力手段と、
遊技の進行に応じて所定のランプを点灯させることにより所定のランプ演出を実行するランプ演出実行手段と、
前記表示手段に表示される前記抽選結果が特別遊技状態となるものであるか否かのリーチ演出内容が前記図柄の変動開始から変動停止までの１回の変動内で実行される画像演出である第１演出パターンを含む複数の演出パターンからなる演出表示態様を記憶する演出表示態様記憶手段と、を有し、
前記抽選結果が特別遊技状態でない場合の前記第１演出パターンにおいて、前記音出力手段及び前記ランプ演出実行手段は、前記表示手段に、前記抽選結果が特別遊技状態となるものであることを示唆する装飾図柄と前記抽選結果が特別遊技状態とならないものであることを示唆する装飾図柄とが共に表示される前記リーチ演出内容が表示された後、前記音を出力させないようにし、且つ、前記リーチ演出内容において、前記抽選結果が特別遊技状態となるものであることを示唆する装飾図柄と前記抽選結果が特別遊技状態とならないものであることを示唆する装飾図柄とが、前記表示手段に共に表示される際に実行される前記所定のランプ演出にて点灯させていた前記所定のランプを消灯させてなる遊技機。
【請求項２】
所定信号に起因する抽選処理を実行して、その抽選結果に対応する画像演出並びに種々の図柄の変動を表示手段に表示させる遊技機であって、
遊技の進行に応じて所定のランプを点灯させることにより所定のランプ演出を実行するランプ演出実行手段と、
前記表示手段に表示される前記抽選結果が特別遊技状態となるものであるか否かのリーチ演出内容が前記図柄の変動開始から変動停止までの１回の変動内で実行される画像演出である第１演出パターンを含む複数の演出パターンからなる演出表示態様を記憶する演出表示態様記憶手段と、を有し、
前記抽選結果が特別遊技状態でない場合の前記第１演出パターンにおいて、前記ランプ演出実行手段は、前記表示手段に前記リーチ演出内容が表示された後、前記リーチ演出内容において、前記抽選結果が特別遊技状態となるものであることを示唆する装飾図柄と前記抽選結果が特別遊技状態とならないものであることを示唆する装飾図柄とが、前記表示手段に共に表示される際に実行される前記所定のランプ演出にて点灯させていた前記所定のランプを寒色系の色のみに変化させて発光させてなる遊技機
【発明の詳細な説明】
【技術分野】
【０００１】
本発明は、パチンコ機、アレンジボール機、雀球遊技機、スロットなどの遊技機に関し、より詳しくは、遊技者の誤認を低減させることができる遊技機に関する。
【背景技術】
【０００２】
従来のパチンコ機等の遊技機として、例えば特許文献１に記載のような遊技機が知られている。この遊技機は、大当りやハズレへの移行が行われる際に、必ず特定の特別図柄が表示されるというものである。
【先行技術文献】
【特許文献】
【０００３】
【特許文献１】特開平９−２７１５６３号公報
【発明の概要】
【発明が解決しようとする課題】
【０００４】
ところで、上記のような遊技機は、特定の特別図柄が表示される前に、大当たりかハズレかの分岐を遊技者に報知するために、予告演出やリーチ演出を表示させているが、演出内容によっては、特にハズレの場合、ハズレか否かの判別が難しいケースが多々あり、もって、遊技者が大当たりへ移行したのではないかと誤認してしまう可能性があるという問題があった。
【０００５】
そこで本発明は、上記問題に鑑み、遊技者の誤認を低減させることができる遊技機を提供することを目的としている。
【課題を解決するための手段】
【０００６】
上記本発明の目的は、以下の手段によって達成される。なお、括弧内は、後述する実施形態の参照符号を付したものであるが、本発明はこれに限定されるものではない。
【０００７】
請求項１の発明に係る遊技機によれば、所定信号に起因する抽選処理を実行して、その抽選結果に対応する画像演出並びに種々の図柄の変動を表示手段（図２に示す液晶表示装置４１参照）に表示させる遊技機であって、
遊技の進行に応じて所定の音を出力させる音出力手段（図１に示すスピーカ１６参照）と、
遊技の進行に応じて所定のランプを点灯させることにより所定のランプ演出を実行するランプ演出実行手段（図１５に示すステップＳ１１１，図１７に示すステップＳ３０７参照）と、
前記表示手段（図２に示す液晶表示装置４１参照）に表示される前記抽選結果が特別遊技状態となるものであるか否かのリーチ演出内容が前記図柄の変動開始から変動停止までの１回の変動内で実行される画像演出である第１演出パターンを含む複数の演出パターンからなる演出表示態様を記憶する演出表示態様記憶手段（図３に示す演出制御ＲＯＭ９１０参照）と、を有し、
前記抽選結果が特別遊技状態でない場合の前記第１演出パターンにおいて、前記音出力手段（図１に示すスピーカ１６参照）及び前記ランプ演出実行手段（図１５に示すステップＳ１１１，図１７に示すステップＳ３０７参照）は、前記表示手段（図２に示す液晶表示装置４１参照）に、前記抽選結果が特別遊技状態となるものであることを示唆する装飾図柄（図８，図９に示す「７」参照）と前記抽選結果が特別遊技状態とならないものであることを示唆する装飾図柄（図８，図９に示す「６」参照）とが共に表示される前記リーチ演出内容が表示された後、前記音を出力させないようにし、且つ、前記リーチ演出内容において、前記抽選結果が特別遊技状態となるものであることを示唆する装飾図柄（図８，図９に示す「７」参照）と前記抽選結果が特別遊技状態とならないものであることを示唆する装飾図柄（図８，図９に示す「６」参照）とが、前記表示手段（図２に示す液晶表示装置４１参照）に共に表示される際に実行される前記所定のランプ演出にて点灯させていた前記所定のランプを消灯させてなることを特徴としている。
【０００９】
請求項２の発明に係る遊技機によれば、所定信号に起因する抽選処理を実行して、その抽選結果に対応する画像演出並びに種々の図柄の変動を表示手段（図２に示す液晶表示装置４１参照）に表示させる遊技機であって、
遊技の進行に応じて所定のランプを点灯させることにより所定のランプ演出を実行するランプ演出実行手段（図１５に示すステップＳ１１１，図１７に示すステップＳ３０７参照）と、
前記表示手段（図２に示す液晶表示装置４１参照）に表示される前記抽選結果が特別遊技状態となるものであるか否かのリーチ演出内容が前記図柄の変動開始から変動停止までの１回の変動内で実行される画像演出である第１演出パターンを含む複数の演出パターンからなる演出表示態様を記憶する演出表示態様記憶手段（図３に示す演出制御ＲＯＭ９１０参照）と、を有し、
前記抽選結果が特別遊技状態でない場合の前記第１演出パターンにおいて、前記ランプ演出実行手段（図１５に示すステップＳ１１１，図１７に示すステップＳ３０７参照）は、前記表示手段（図２に示す液晶表示装置４１参照）に前記リーチ演出内容が表示された後、前記リーチ演出内容において、前記抽選結果が特別遊技状態となるものであることを示唆する装飾図柄（図９に示す「７」参照）と前記抽選結果が特別遊技状態とならないものであることを示唆する装飾図柄（図９に示す「６」参照）とが、前記表示手段（図２に示す液晶表示装置４１参照）に共に表示される際に実行される前記所定のランプ演出にて点灯させていた前記所定のランプを寒色系の色のみに変化させて発光させてなることを特徴としている。
【発明の効果】
【００１０】
本発明によれば、遊技者の誤認を低減させることができる。
【図面の簡単な説明】
【００１１】
【図１】本発明の一実施形態に係る遊技機の外観を示す斜視図である。
【図２】同実施形態に係る遊技機の遊技盤の正面図である。
【図３】同実施形態に係る遊技機の制御装置を示すブロック図である。
【図４】同実施形態に係る液晶表示装置にリーチ演出が表示されている画面例を示し、（ａ）は動画が表示されている例を示し、（ｂ）は（ａ）に示す動画が静止している静止画が表示されている例を示す図である。
【図５】同実施形態に係る液晶表示装置にリーチ演出が表示されている画面例を示し、（ａ）は図４（ａ）に示す画面例と同一の内容が表示されている例を示し、（ｂ）は（ａ）に示す画像に半透明の黒ベタの画像が差し込まれた画像が表示されている例を示す図である。
【図６】同実施形態に係る液晶表示装置にリーチ演出が表示されている画面例を示し、（ａ）は図４（ａ）に示す画面例と同一の内容が表示されている例を示し、（ｂ）は（ａ）に示す画像がモノクロ画像として表示されている例を示す図である。
【図７】同実施形態に係る液晶表示装置にリーチ演出が表示されている画面例を示し、（ａ）は図４（ａ）に示す画面例と同一の内容が表示されている例を示し、（ｂ）は（ａ）に示す画像に新たな文字画像が表示されている例を示す図である。
【図８】同実施形態に係る液晶表示装置にリーチ演出が表示されている画面例を示し、（ａ）はスピーカより音が発せられている例を示し、（ｂ）は（ａ）にて発せられていた音が無くなった無音の状態を示す図である。
【図９】同実施形態に係る液晶表示装置にリーチ演出が表示されている画面例を示し、（ａ）は装飾ランプが点滅している例を示し、（ｂ）は装飾ランプが消灯している例を示す図である。
【図１０】同実施形態に係る主制御のメイン処理を説明するフローチャート図である。
【図１１】同実施形態に係る主制御のタイマ割込み処理を説明するフローチャート図である。
【図１２】図１１に示す主制御のタイマ割込み処理の特別図柄処理を説明するフローチャート図である。
【図１３】図１２に示す始動口チェック処理を説明するフローチャート図である。
【図１４】（ａ）は普通図柄の当否抽選を実行する際に使用される普通図柄当たり判定テーブルを示し、（ｂ）は特別図柄の当否抽選を実行する際に使用される特別図柄大当たり判定テーブルを示し、（ｃ）は特別図柄の当否抽選を実行する際に使用される特別図柄小当たり判定テーブルを示す図である。
【図１５】同実施形態に係る演出制御のメイン処理を説明するフローチャート図である。
【図１６】同実施形態に係る演出制御のコマンド受信処理を示すフローチャート図である。
【図１７】同実施形態に係る演出制御のタイマ割込み処理を示すフローチャート図である。
【発明を実施するための形態】
【００１２】
以下、本発明に係る遊技機の一実施形態を、パチンコ遊技機を例にして、図１〜図１７を参照して具体的に説明する。なお、以下の説明において、上下左右の方向を示す場合は、図示正面から見た場合の上下左右をいうものとする。
【００１３】
＜外観構成の説明＞
まず、図１及び図２を参照して、本実施形態に係るパチンコ遊技機の外観構成を説明する。
【００１４】
図１に示すように、パチンコ遊技機１は、木製の外枠２の前面に矩形状の前面枠３を開閉可能に取り付け、その前面枠３の裏面に取り付けられている遊技盤収納フレーム（図示せず）内に遊技盤４が装着された構成からなる。遊技盤４は、図２に示す遊技領域４０を前面に臨ませた状態で装着され、図１に示すようにこの遊技領域４０の前側に透明ガラスを支持したガラス扉枠５が設けられている。なお、上記遊技領域４０は、遊技盤４の面上に配設された球誘導レール６（図２参照）で囲まれた領域からなるものである。
【００１５】
一方、パチンコ遊技機１は、図１に示すように、ガラス扉枠５の下側に前面操作パネル７が配設され、その前面操作パネル７には上受け皿ユニット８が設けられ、この上受け皿ユニット８には、排出された遊技球を貯留する上受け皿９が一体形成されている。また、この前面操作パネル７には、球貸しボタン１１及びプリペイドカード排出ボタン１２（カード返却ボタン１２）が設けられている。そして、上受け皿９の上皿表面部分には、内蔵ランプ（図示せず）点灯時に押下することにより演出効果を変化させることができる押しボタン式の演出ボタン装置１３が設けられている。また、この上受け皿９には、当該上受け皿９に貯留された遊技球を下方に抜くための球抜きボタン１４が設けられている。
【００１６】
また一方、図１に示すように、前面操作パネル７の右端部側には、発射ユニットを作動させるための発射ハンドル１５が設けられ、その発射ハンドル１５の左側近傍及び前面枠３の上部両側面側には、ＢＧＭ（Ｂａｃｋｇｒｏｕｎｄ  ｍｕｓｉｃ）あるいは効果音を発するスピーカ１６が設けられている。そして、上記前面枠３の周枠には、ＬＥＤランプ等の装飾ランプが配設されている。
【００１７】
他方、上記遊技盤４の遊技領域４０には、図２に示すように、略中央部にＬＣＤ（Ｌｉｑｕｉｄ  Ｃｒｙｓｔａｌ  Ｄｉｓｐｌａｙ）等からなる液晶表示装置４１が配設されている。この液晶表示装置４１は、表示エリアを左、中、右の３つのエリアに分割し、独立して数字やキャラクタ、文字（キャラクタの会話や歌詞テロップ等）あるいは図柄（装飾図柄）の変動表示が可能なものである。そしてこのような液晶表示装置４１の周囲には、装飾用の上飾り４２ａ、左飾り４２ｂ、右飾り４２ｃが設けられており、この上飾り４２ａ、左飾り４２ｂ、右飾り４２ｃの背面側には可動役物装置４３が配設されている。なお、上飾り４２ａ、左飾り４２ｂ、右飾り４２ｃには、光の装飾により演出効果を現出するＬＥＤランプ等の装飾ランプが配設されている。
【００１８】
この可動役物装置４３は、図２に示すように、遊技の進行に伴い所定の演出動作を行う上可動役物４３ａと、左可動役物４３ｂと、右可動役物４３ｃと、左上可動役物４３ｄと、さらに、上・左・右・左上可動役物４３ａ〜４３ｄを、夫々、駆動する２相のステッピングモータ等のモータ（図示せず）とで構成されている。なお、これら上・左・右・左上可動役物４３ａ〜４３ｄには、光の装飾により演出効果を現出するＬＥＤランプ等の装飾ランプが配設されている。
【００１９】
一方、液晶表示装置４１の真下には、特別図柄始動口４４が配設され、その内部には入賞球を検出する特別図柄始動口スイッチ４４ａ（図３参照）が設けられている。そしてこの特別図柄始動口スイッチ４４ａ（図３参照）が検出した有効入賞球数、すなわち、始動保留球数が所定数（例えば、４個）液晶表示装置４１に表示されることとなる。なお、この始動保留球数は、特別図柄始動口４４へ遊技球が入賞し、特別図柄始動口スイッチ４４ａ（図３参照）にて検出されると、１加算（＋１）され、数字やキャラクタあるいは図柄（装飾図柄）等の特別図柄の変動表示が開始されると、１減算（−１）されるというものである。
【００２０】
一方、特別図柄始動口４４の右側には、図２に示すように、大入賞口４５が配設され、その内部には入賞球を検出する大入賞口スイッチ４５ａ（図３参照）が設けられている。そして、上記液晶表示装置４１の右上部にはゲートからなる普通図柄始動口４６が配設され、その内部には、遊技球の通過を検出する普通図柄始動口スイッチ４６ａ（図３参照）が設けられている。また、上記大入賞口４５の右側及び上記特別図柄始動口４４の左側には、一般入賞口４７が夫々配設され（図示では、右側に１つ、左側に３つ）、その内部には、夫々、遊技球の通過を検出する一般入賞口スイッチ４７ａ（図３参照）が設けられている。
【００２１】
他方、上記遊技盤４の遊技領域４０の右下周縁部には、７セグメントが３個並べて構成されており、そのうち２個の７セグメントが特別図柄表示装置４８であり、他の７セグメントは始動保留球数等を表示するものである。この特別図柄表示装置４８の左側には、２個のＬＥＤからなる普通図柄表示装置４９が設けられている。なお、上記遊技盤４の遊技領域４０には、複数の遊技釘（図示せず）が配設され、遊技球の落下方向変換部材としての風車５０が配設されている。
【００２２】
＜制御装置の説明＞
次に、上記のような外観構成からなるパチンコ遊技機１内に設けられる遊技の進行状況に応じて電子制御を行う制御装置を、図３を用いて説明する。この制御装置は、図３に示すように、遊技動作全般の制御を司る主制御基板６０と、その主制御基板６０からの制御コマンドに基づいて遊技球を払出す払出制御基板７０と、画像と光と音についての制御を行うサブ制御基板８０とで主に構成されている。なお、サブ制御基板８０は、図３に示すように、演出制御基板９０と、装飾ランプ基板１００と、液晶制御基板１２０とで構成されている。
【００２３】
主制御基板６０は、主制御ＣＰＵ６００と、一連の遊技制御手順を記述した遊技プログラム等を格納した主制御ＲＯＭ６１０と、作業領域やバッファメモリ等として機能する主制御ＲＡＭ６２０とで構成されたワンチップマイクロコンピュータを搭載している。
【００２４】
そして、このように構成される主制御基板６０には、払出モータＭを制御して遊技球を払出す払出制御基板７０が接続されている。そしてさらには、特別図柄始動口４４への入賞を検出する特別図柄始動口スイッチ４４ａと、普通図柄始動口４６の通過を検出する普通図柄始動口スイッチ４６ａと、一般入賞口４７への入賞を検出する一般入賞口スイッチ４７ａと、大入賞口４５の入賞を検出する大入賞口スイッチ４５ａとが接続されている。またさらには、特別図柄表示装置４８と、普通図柄表示装置４９とが接続されている。
【００２５】
このように構成される主制御基板６０は、特別図柄始動口スイッチ４４ａ又は普通図柄始動口スイッチ４６ａからの信号を主制御ＣＰＵ６００にて受信すると、遊技者に有利な特別遊技状態を発生させるか（いわゆる「大当たり」）、あるいは、遊技者に有利な特別遊技状態を発生させないか（いわゆる「ハズレ」）の抽選を行い、その抽選結果である当否情報に応じて特別図柄の変動パターンや停止図柄あるいは普通図柄の表示内容を決定し、その決定した情報を特別図柄表示装置４８又は普通図柄表示装置４９に送信する。これにより、特別図柄表示装置４８又は普通図柄表示装置４９に抽選結果が表示されることとなる。そしてさらに、主制御基板６０、すなわち、主制御ＣＰＵ６００は、その決定した情報を含む演出制御コマンドＤＩ_ＣＭＤを生成し、演出制御基板９０に送信する。なお、主制御基板６０、すなわち、主制御ＣＰＵ６００が、一般入賞口スイッチ４７ａ、大入賞口スイッチ４５ａからの信号を受信した場合は、遊技者に幾らの遊技球を払い出すかを決定し、その決定した情報を含む払出制御コマンドＰＡＹ_ＣＭＤを払出制御基板７０に送信することで、払出制御基板７０が遊技者に遊技球を払出すこととなる。
【００２６】
払出制御基板７０は、上記主制御基板６０（主制御ＣＰＵ６００）からの払出制御コマンドＰＡＹ_ＣＭＤを受信し、その受信した払出制御コマンドＰＡＹ_ＣＭＤに基づいて払出モータ信号を生成する。そして、その生成した払出モータ信号にて、払出モータＭを制御し、遊技者に遊技球を払出す。そしてさらに、払出制御基板７０は、遊技球の払出動作を示す賞球計数信号や払出動作の異常に係るステイタス信号を送信し、遊技者の操作に応答して遊技球を発射させる発射制御基板７１の動作を開始又は停止させる発射制御信号を送信する処理を行う。
【００２７】
演出制御基板９０は、上記主制御基板６０（主制御ＣＰＵ６００）からの演出制御コマンドＤＩ_ＣＭＤを受けて各種演出を実行制御する演出制御ＣＰＵ９００と、演出制御手順を記述した制御プログラム等が格納されているフラッシュメモリからなる演出制御ＲＯＭ９１０と、作業領域やバッファメモリ等として機能する演出制御ＲＡＭ９２０とで構成されている。そしてさらに、演出制御基板９０は、所望のＢＧＭや効果音を生成する音ＬＳＩ９３０と、ＢＧＭや効果音等の音データ等が予め格納されている音ＲＯＭ９４０とが搭載されている。
【００２８】
このように構成される演出制御基板９０には、ランプ演出効果を現出するＬＥＤランプ等の装飾ランプが搭載されている装飾ランプ基板１００が接続され、さらに、内蔵されているランプ（図示せず）点灯時に遊技者が押下することにより演出効果を変化させることができる押しボタン式の演出ボタン装置１３が接続され、ＢＧＭや効果音等を発するスピーカ１６が接続され、遊技の進行に伴い所定の演出動作を行う可動役物装置４３が接続されている。またさらに、演出制御基板９０には、液晶表示装置４１を制御する液晶制御基板１２０が接続されている。
【００２９】
かくして、このように構成される演出制御基板９０は、主制御基板６０（主制御ＣＰＵ６００）より送信される大当たり抽選結果（大当たりかハズレの別）に基づく特別図柄変動パターン、現在の遊技状態、始動保留球数、抽選結果に基づき停止させる装飾図柄等に必要となる基本情報を含んだ演出制御コマンドＤＩ_ＣＭＤを演出制御ＣＰＵ９００にて受信する。そして、演出制御ＣＰＵ９００は、受信した演出制御コマンドＤＩ_ＣＭＤに対応した演出パターンを、演出制御ＲＯＭ９１０内に予め格納しておいた多数の演出パターンの中から抽選により決定し、その決定した演出パターンを実行指示する制御信号を演出制御ＲＡＭ９２０内に一時的に格納する。
【００３０】
そして、演出制御ＣＰＵ９００は、演出制御ＲＡＭ９２０内に格納しておいた演出パターンを実行指示する制御信号のうち、音に関する制御信号を音ＬＳＩ９３０に送信する。これを受けて音ＬＳＩ９３０は、当該制御信号に対応する音データを音ＲＯＭ９４０より読み出し、スピーカ１６に出力する。これにより、スピーカ１６より上記決定された演出パターンに対応したＢＧＭや効果音が発せられることとなる。
【００３１】
また、演出制御ＣＰＵ９００は、演出制御ＲＡＭ９２０内に格納しておいた演出パターンを実行指示する制御信号のうち、光に関する制御信号を装飾ランプ基板１００に送信する。これにより、装飾ランプ基板１００が、ランプ演出効果を現出するＬＥＤランプ等の装飾ランプを点灯又は消灯する制御を行うため、上記決定された演出パターンに対応したランプ演出が実行されることとなる。
【００３２】
さらに、演出制御ＣＰＵ９００は、演出制御ＲＡＭ９２０内に格納しておいた演出パターンを実行指示する制御信号のうち、画像に関する液晶制御コマンドＬＣＤ_ＣＭＤを液晶制御基板１２０に送信する。これにより、液晶制御基板１２０が、当該液晶制御コマンドＬＣＤ_ＣＭＤに基づく画像を表示させるように液晶表示装置４１を制御することにより、上記決定された演出パターンに対応した画像が液晶表示装置４１に表示されることとなる。なお、液晶制御基板１２０には、演出出力全般の制御を担うＶＤＰ（Ｖｉｄｅｏ  Ｄｉｓｐｌａｙ  Ｐｒｏｃｅｓｓｏｒ）１２００と、演出内容に沿った画像を表示するための種々の画像データが記憶されているＣＧＲＯＭ１２１０と、作業領域やフレームバッファメモリ等として機能するＤＤＲ２ＳＤＲＡＭ１２２０とが搭載されている。
【００３３】
またさらに、演出制御ＣＰＵ９００は、演出制御ＲＡＭ９２０内に格納しておいた演出パターンを実行指示する制御信号のうち、可動役物に関する制御信号を可動役物装置４３に送信する。これにより、可動役物装置４３は、上記決定された演出パターンに対応した可動をすることとなる。
【００３４】
ところで、上記説明した各基板への電源供給は、図３に示す電源基板１３０より供給されている。この電源基板１３０は、電圧生成部１３００と、電圧監視部１３１０と、システムリセット生成部１３２０とを含んで構成されている。この電圧生成部１３００は、遊技店に設置された図示しない変圧トランスから供給される外部電源である交流電圧ＡＣ２４Ｖを受けて複数種類の直流電圧を生成するもので、その生成された直流電圧は、図示はしないが各基板に供給されている。
【００３５】
また、電圧監視部１３１０は、上記交流電圧ＡＣ２４Ｖの電圧を監視するもので、この電圧が遮断されたり、停電が発生したりして電圧異常を検出した場合に電圧異常信号ＡＬＡＲＭを主制御基板６０に出力するものである。なお、電圧異常信号ＡＬＡＲＭは、電圧異常時には「Ｌ」レベルの信号を出力し、正常時には「Ｈ」レベルの信号を出力する。
【００３６】
また、一方、システムリセット生成部１３２０は、電源投入時のシステムリセット信号を生成するもので、その生成されたシステムリセット信号は、図示はしないが各基板に出力されている。
【００３７】
＜画像に関する説明＞
ここで、上記説明した制御装置のうち、本発明の特徴部分は、液晶表示装置４１に表示される画面内容、特に、抽選結果が遊技者に有利な特別遊技状態を発生させない（いわゆる「ハズレ」）抽選結果であったことを遊技者に認識させるための方法であるため、この点、以下に詳しく説明する。
【００３８】
まず、特別図柄始動口４４（図２参照）へ遊技球が入賞（特別図柄始動口スイッチ４４ａ）すると、その入賞した遊技球（入賞球）に対して、遊技者に有利な特別遊技状態を発生させるか（いわゆる「大当たり」）、あるいは、遊技者に有利な特別遊技状態を発生させないか（いわゆる「ハズレ」）の抽選が主制御基板６０（主制御ＣＰＵ６００）にて行われる。そして、その抽選結果が演出制御コマンドＤＩ_ＣＭＤとして主制御基板６０（主制御ＣＰＵ６００）より演出制御基板９０に送信される。
【００３９】
そして、演出制御基板９０は、上記演出制御コマンドＤＩ_ＣＭＤを演出制御ＣＰＵ９００にて受信し、当該演出制御ＣＰＵ９００は、受信した演出制御コマンドＤＩ_ＣＭＤに対応した演出パターンを演出制御ＲＯＭ９１０内に予め格納しておいた多数の演出パターンの中から抽選により決定し、その決定した演出パターンを液晶制御コマンドＬＣＤ_ＣＭＤとして液晶制御基板１２０に送信する。これにより、液晶制御基板１２０（ＶＤＰ１２００）は、その液晶制御コマンドＬＣＤ_ＣＭＤに基づく画像を表示させるように液晶表示装置４１を制御し、上記決定された演出パターンに対応した画像を液晶表示装置４１に表示させる。この液晶表示装置４１に表示される画面例が図４〜図９に示すものである。
【００４０】
図４（ａ）に示す画面例は、リーチ演出が実行されている例を示している。より具体的に説明すれば、「左」「中」「右」の組み合わせ図柄のうち、「左」の図柄（画像表示Ｐ１参照）と「右」の図柄（画像表示Ｐ２参照）の変動表示が同一状態で停止し（図示では、「７」）、リーチ状態となり、さらに、液晶表示装置４１の表示領域に組み合わせ図柄と異なる表示（画像表示Ｐ３）をし、変動表示結果が「大当たり」となる可能性があることを遊技者に報知するリーチ演出が実行されているものを示している。
【００４１】
このリーチ演出では、変動表示結果が「大当たり」か否かの分岐演出として、画像表示Ｐ３の特別図柄（図示では、「６」）にキャラクタＣＨ１がぶつかることによって、キャラクタＣＨ２と戦い、さらに、粒状の拡散描画（エフェクト）Ｐ４が液晶表示装置４１の画面全体に及ぶように、０．１〜０．３秒程度の高速ループ状態で飛び散り続けているものを示している。
【００４２】
そして、この際、抽選結果が遊技者に有利な特別遊技状態を発生させない（いわゆる「ハズレ」）抽選結果であった場合、図４（ａ）に示す状態から、液晶表示装置４１に表示される画像のカット数、２カット以内（例えば、４秒以内）に、図４（ｂ）に示すように、液晶表示装置４１に表示されている表示内容を静止画にする。すなわち、図４（ｂ）に示すように、０．１〜０．３秒程度の高速ループ状態で飛び散り続けている粒状の拡散描画（エフェクト）Ｐ４（図４（ａ）参照）が表示されず、「左」の図柄（画像表示Ｐ１参照）と「右」の図柄（画像表示Ｐ２参照）の変動表示が同一状態で停止し（図示では、「７」）、さらに、液晶表示装置４１の表示領域に組み合わせ図柄と異なる画像表示Ｐ３の特別図柄（図示では、「６」）にキャラクタＣＨ１がぶつかり、キャラクタＣＨ２と戦っている状態で静止している静止画が液晶表示装置４１に表示されている。これにより、遊技者は、早々に画像が静止したことにより変動表示結果が「ハズレ」であることを認識することができ、もって、遊技者の誤認を低減させることができる。
【００４３】
すなわち、従来においては、例えば、図４（ａ）に示す状態から、キャラクタＣＨ１がキャラクタＣＨ２を倒せば変動表示結果が「大当たり」となるリーチ演出であった場合に、キャラクタＣＨ２が逃げ出してしまう等の倒したか倒していないかの曖昧な表現を行うことが多く、このような場合、キャラクタＣＨ１がキャラクタＣＨ２を倒していないため、変動表示結果が「大当たり」とならないが、遊技者の中には、それが「大当たり」の演出であると勘違いしてしまい、もって、変動表示結果が「ハズレ」ではなく、「大当たり」であると誤認してしまうケースが多々あるという問題があった。
【００４４】
そこで、本実施形態においては、従来のような曖昧な表現による遊技者の誤認を低減させるべく、図４（ａ）に示す状態から、液晶表示装置４１に表示される画像のカット数、２カット以内（例えば、４秒以内）に、図４（ｂ）に示すように、液晶表示装置４１に表示されている表示内容を静止画にするようにしている。このようにすれば、早々に画像が静止したことにより、このリーチ演出は、変動表示結果が「ハズレ」の演出であると遊技者にしっかりと認識させることができ、もって、遊技者の誤認を低減させることができる。なお、液晶表示装置４１に表示される画像のカット数とは、画面切り替えの数を意味し、本実施形態においては、図４（ａ）では、液晶表示装置４１に表示されている粒状の拡散描画（エフェクト）Ｐ４が、図４（ｂ）では、表示されていない表示内容となっているため、画面切り替えが１回であるため、１カットと表現することができる。また、２カット以内に静止画にするのは、あまりカット数を多くすると、連続演出が発生したと遊技者に誤解を与えてしまい、図４（ｂ）に示す状態からさらに演出が発生し、「大当たり」と発展する演出なのではないかと遊技者に誤認させてしまう可能性があるためである。そこで、本実施形態においては、そのような誤解を遊技者に与えない最適なカット数として２カット以内に静止画にするようにしている。
【００４５】
ところで、変動表示結果が「ハズレ」であることを遊技者に認識させる手法としては、図４に示すような方法に限らず、図５に示すよう方法でも良い。
【００４６】
すなわち、図５（ａ）に示す画面例は、図４（ａ）に示す画面例と同じく、リーチ演出が実行されている例を示しており、図４（ａ）と同一の表示内容が液晶表示装置４１に表示されている。そして、この際、抽選結果が遊技者に有利な特別遊技状態を発生させない（いわゆる「ハズレ」）抽選結果であった場合、図５（ａ）に示す状態から、液晶表示装置４１に表示される画像のカット数、２カット以内（例えば、４秒以内）に、図５（ｂ）に示すような画面を液晶表示装置４１に表示させるようにしている。すなわち、図５（ｂ）に示すように、「左」の図柄（画像表示Ｐ１参照）と「右」の図柄（画像表示Ｐ２参照）の変動表示が同一状態で停止し（図示では、「７」）、さらに、液晶表示装置４１の表示領域に組み合わせ図柄と異なる画像表示Ｐ３の特別図柄（図示では、「６」）にキャラクタＣＨ１がぶつかりキャラクタＣＨ２と戦っている状態が表示され、さらに、０．１〜０．３秒程度の高速ループ状態で飛び散り続けている粒状の拡散描画（エフェクト）Ｐ４が表示されている。そして、特別図柄（画像表示Ｐ１，Ｐ２，Ｐ３参照）の背面に位置するキャラクタＣＨ２を含む背景画像との間に半透明の黒ベタ（黒色）の画像（画像表示Ｐ１０参照）が挿入されている。これにより、キャラクタＣＨ２を含む背景画像が、黒っぽく表示されることとなる。
【００４７】
しかして、このようにしても、遊技者は、早々に画像が黒っぽく表示されたことにより変動表示結果が「ハズレ」であることを認識することができ、もって、遊技者の誤認を低減させることができる。なお、本実施形態においては、特別図柄（画像表示Ｐ１，Ｐ２，Ｐ３参照）の背面に位置するキャラクタＣＨ２を含む背景画像との間に半透明の黒ベタ（黒色）の画像（画像表示Ｐ１０参照）を挿入し、遊技者が特別図柄（画像表示Ｐ１，Ｐ２，Ｐ３参照）を視認し易いようにしたが、これに限らず、半透明の黒ベタ（黒色）の画像を図５（ａ）に示す表示内容の上に配置させ、画面全体を黒っぽく表示させるようにしても良い。このようにしても、遊技者は、早々に画面が黒っぽく表示されたことにより変動表示結果が「ハズレ」であることを認識することができ、もって、遊技者の誤認を低減させることができる。
【００４８】
なお、図５（ｂ）に示す画面例では、静止画にしてはいないが、図４（ｂ）に示す画面例のように静止画にしても良い。
【００４９】
他方、変動表示結果が「ハズレ」であることを遊技者に認識させる手法としては、図６に示すよう方法でも良い。
【００５０】
すなわち、図６（ａ）に示す画面例は、図４（ａ）に示す画面例と同じく、リーチ演出が実行されている例を示しており、図４（ａ）と同一の表示内容が液晶表示装置４１に表示されている。そして、この際、抽選結果が遊技者に有利な特別遊技状態を発生させない（いわゆる「ハズレ」）抽選結果であった場合、図６（ａ）に示す状態から、液晶表示装置４１に表示される画像のカット数、２カット以内（例えば、４秒以内）に、図６（ｂ）に示すような画面を液晶表示装置４１に表示させるようにしている。すなわち、図６（ｂ）に示すように、「左」の図柄（画像表示Ｐ１参照）と「右」の図柄（画像表示Ｐ２参照）の変動表示が同一状態で停止し（図示では、「７」）、さらに、液晶表示装置４１の表示領域に組み合わせ図柄と異なる画像表示Ｐ３の特別図柄（図示では、「６」）にキャラクタＣＨ１がぶつかることによってキャラクタＣＨ２と戦い、さらに、０．１〜０．３秒程度の高速ループ状態で飛び散り続けている粒状の拡散描画（エフェクト）Ｐ４が表示されている。そして、そのような内容が表示されている画面全体がモノクロ画像（画像表示Ｐ２０参照）として表示されている。
【００５１】
しかして、このようにしても、遊技者は、早々に画面がモノクロ画像に切り替わったことにより変動表示結果が「ハズレ」であることを認識することができ、もって、遊技者の誤認を低減させることができる。なお、本実施形態においては、画面全体がモノクロ画像（画像表示Ｐ２０参照）として表示されているが、図５（ｂ）に示す画面例のように、特別図柄（画像表示Ｐ１，Ｐ２，Ｐ３参照）の背面に位置するキャラクタＣＨ２を含む背景画像のみモノクロ画像にしても良い。また、図６（ｂ）に示す画面例では、静止画にしてはいないが、図４（ｂ）に示す画面例のように静止画にしても良い。
【００５２】
ところで、本実施形態にて示すモノクロ画像の処理としては、図６（ａ）に示すカラー画像を、ＶＤＰ１２００（図３参照）にてモノクロ画像となるように処理しても良いし、ＣＧＲＯＭ１２１０（図３参照）内に図６（ａ）に示すカラー画像と図６（ｂ）に示すモノクロ画像を２つ記憶させておき、ＶＤＰ１２００（図３参照）にて、図６（ａ）に示すカラー画像を図６（ｂ）に示すモノクロ画像に差替えるようにしても良い。
【００５３】
一方、変動表示結果が「ハズレ」であることを遊技者に認識させる手法としては、図７に示すよう方法でも良い。
【００５４】
すなわち、図７（ａ）に示す画面例は、図４（ａ）に示す画面例と同じく、リーチ演出が実行されている例を示しており、図４（ａ）と同一の表示内容が液晶表示装置４１に表示されている。そして、この際、抽選結果が遊技者に有利な特別遊技状態を発生させない（いわゆる「ハズレ」）抽選結果であった場合、図７（ａ）に示す状態から、液晶表示装置４１に表示される画像のカット数、２カット以内（例えば、４秒以内）に、図７（ｂ）に示すような画面を液晶表示装置４１に表示させるようにしている。すなわち、図７（ｂ）に示すように、「左」の図柄（画像表示Ｐ１参照）と「右」の図柄（画像表示Ｐ２参照）の変動表示が同一状態で停止し（図示では、「７」）、さらに、液晶表示装置４１の表示領域に組み合わせ図柄と異なる画像表示Ｐ３の特別図柄（図示では、「６」）にキャラクタＣＨ１がぶつかることによって、キャラクタＣＨ２と戦い、さらに、０．１〜０．３秒程度の高速ループ状態で飛び散り続けている粒状の拡散描画（エフェクト）Ｐ４が表示されている。そして、そのような内容が表示されている画面に、抽選結果が遊技者に有利な特別遊技状態を発生させない（いわゆる「ハズレ」）抽選結果であったことを示す「残念・・・」という文字（画像表示Ｐ３０参照）が表示されている。
【００５５】
しかして、このようにしても、遊技者は、早々に、「残念・・・」という文字（画像表示Ｐ３０参照）が表示されたことにより変動表示結果が「ハズレ」であることを認識することができ、もって、遊技者の誤認を低減させることができる。なお、本実施形態においては、「残念・・・」という文字を表示させたが、それに限らず、「失敗・・・」でも「敗北・・・」でも、抽選結果が遊技者に有利な特別遊技状態を発生させない（いわゆる「ハズレ」）抽選結果であったことを示すような文字であればどのようなものでも良い。また、図７（ｂ）に示す画面例では、静止画にしていないが、図４（ｂ）に示す画面例のように静止画にしても良く、図５（ｂ）に示すように、半透明の黒ベタ（黒色）の画像（画像表示Ｐ１０参照）を挿入しても良く、図６（ｂ）に示すように、モノクロ画像にしても良い。
【００５６】
他方、変動表示結果が「ハズレ」であることを遊技者に認識させる手法としては、液晶表示装置４１に表示される画像に限らず、図８に示すように音を変化させるようにしても良い。
【００５７】
すなわち、図８（ａ）に示す画面例は、図４（ａ）に示す画面例と同じく、リーチ演出が実行されている例を示しており、図４（ａ）と同一の表示内容が液晶表示装置４１に表示されている。そして、この際、スピーカ１６（図２参照）よりＢＧＭ等の音ＭＵが発せられている。
【００５８】
この際、抽選結果が遊技者に有利な特別遊技状態を発生させない（いわゆる「ハズレ」）抽選結果であった場合、図８（ａ）に示す状態から、液晶表示装置４１に表示される画像のカット数、２カット以内（例えば、４秒以内）に、図８（ｂ）に示すように、図４（ｂ）と同じく、液晶表示装置４１に静止画が表示される。そして、この際、先程までスピーカ１６（図２参照）より発せられていた音ＭＵが、スピーカ１６（図２参照）より発せられなくなり、無音となる。
【００５９】
しかして、このようにしても、遊技者は、スピーカ１６（図２参照）より何の音も発せられない、無音となったことにより、変動表示結果が「ハズレ」であることを認識することができ、もって、遊技者の誤認を低減させることができる。なお、本実施形態においては、無音にするようにしたが、それに限らず、抽選結果が遊技者に有利な特別遊技状態を発生させる（いわゆる「大当たり」）抽選結果の際、スピーカ１６より発せられる音の音量よりも小さくすると共に音の長さを短くするようにしても良い。このようにしても、遊技者は、変動表示結果が「ハズレ」であることを認識することができ、もって、遊技者の誤認を低減させることができる。なお、この際、キャラクタ等のセリフをスピーカ１６（図２参照）より発するようにしても良い。
【００６０】
また、液晶表示装置４１に表示される画面例としては、図８（ｂ）に示すような画面例に限らず、図５（ｂ），図６（ｂ），図７（ｂ）に示す画面例でも良く、又、液晶表示装置４１に表示されている画面自体は、図８（ａ）のままにしておき、スピーカ１６（図２参照）より発せられる音ＭＵだけを変化させるようにしても良い。
【００６１】
一方、変動表示結果が「ハズレ」であることを遊技者に認識させる手法としては、液晶表示装置４１に表示される画像に限らず、図９に示すように光を変化させるようにしても良い。
【００６２】
すなわち、図９（ａ）に示す画面例は、図４（ａ）に示す画面例と同じく、リーチ演出が実行されている例を示しており、図４（ａ）と同一の表示内容が液晶表示装置４１に表示されている。そして、この際、ランプ演出効果を現出するＬＥＤランプ等の装飾ランプが点滅（点灯又は消灯が繰り返されるランプ演出）している。なお、図示では、上飾り４２ａに配設されている装飾ランプが点滅している状態を示している。
【００６３】
この際、抽選結果が遊技者に有利な特別遊技状態を発生させない（いわゆる「ハズレ」）抽選結果であった場合、図９（ａ）に示す状態から、液晶表示装置４１に表示される画像のカット数、２カット以内（例えば、４秒以内）に、図９（ｂ）に示すように、図４（ｂ）と同じく、液晶表示装置４１に静止画が表示される。そして、この際、先程まで点滅していた装飾ランプが消灯することとなる。なお、図示では、上飾り４２ａに配設されている装飾ランプが消灯している状態を示している。
【００６４】
しかして、このようにしても、遊技者は、装飾ランプが消灯することにより、変動表示結果が「ハズレ」であることを認識することができ、もって、遊技者の誤認を低減させることができる。なお、本実施形態においては、消灯にするようにしたが、それに限らず、通常遊技状態にて実行されるランプ演出と同じ点滅（点灯又は消灯）をさせても良く、又、装飾ランプより発せられる色を青緑、青、青紫などの冷たさを感じさせる寒色だけで点灯させるようにしても良い。このようにしても、遊技者は、変動表示結果が「ハズレ」であることを認識することができ、もって、遊技者の誤認を低減させることができる。
【００６５】
また、上記のような方法に限らず、抽選結果が遊技者に有利な特別遊技状態を発生させない（いわゆる「ハズレ」）抽選結果であった場合に、ランプ演出を実行させる際、そのランプ演出は、抽選結果が遊技者に有利な特別遊技状態を発生させる（いわゆる「大当たり」）抽選結果の際実行されるランプ演出にて発せられる装飾ランプの光量に比べ少ない光量にて装飾ランプを発光させるようにしても良い。このようにしても、遊技者は、変動表示結果が「ハズレ」であることを認識することができ、もって、遊技者の誤認を低減させることができる。
【００６６】
また、抽選結果が遊技者に有利な特別遊技状態を発生させない（いわゆる「ハズレ」）抽選結果であった場合に、ランプ演出を実行させる際、そのランプ演出は、抽選結果が遊技者に有利な特別遊技状態を発生させる（いわゆる「大当たり」）抽選結果の際実行されるランプ演出にて発せられる装飾ランプの点灯パターンの変化よりも少ない点灯パターンにしても良い。このようにしても、遊技者は、変動表示結果が「ハズレ」であることを認識することができ、もって、遊技者の誤認を低減させることができる。
【００６７】
また、液晶表示装置４１に表示される画面例としては、図９（ｂ）に示すような画面例に限らず、図５（ｂ），図６（ｂ），図７（ｂ）に示す画面例でも良く、又、液晶表示装置４１に表示されている画面自体は、図９（ａ）のままにしておき、装飾ランプの光だけを変化させるようにしても良い。またさらに、図８を参照して説明した音の変化と組み合わせるようにしても良い。
【００６８】
ここで、上記説明した処理に関し、主制御基板６０及び演出制御基板９０にて処理される処理内容を、図１０〜図１７を参照してさらに具体的に説明する。
【００６９】
＜主制御基板処理の説明＞
まず、本発明の特徴部分に係る主制御基板６０の主制御ＲＯＭ６１０（図３参照）内に格納されているプログラムの概要を図１０〜図１４を用いて説明する。
【００７０】
＜メイン処理の説明＞
まず、パチンコ遊技機１に電源が投入されると、電源基板１３０（図３参照）の電圧生成部１３００にて生成された直流電圧が各制御基板に投入された旨の電源投入信号が送られ、その信号を受けて、主制御ＣＰＵ６００（図３参照）は、図１０に示す主制御メイン処理を行う。主制御ＣＰＵ６００は、まず、最初に自らを割込み禁止状態に設定する（ステップＳ１）。
【００７１】
次いで、主制御ＣＰＵ６００は、当該主制御ＣＰＵ６００内のレジスタ値等の初期設定を行う（ステップＳ２）。
【００７２】
続いて、主制御ＣＰＵ６００は、電源基板１３０（電圧監視部１３１０）より出力されている電圧異常信号ＡＬＡＲＭ（図３参照）を２回取得し、その２回取得した電圧異常信号ＡＬＡＲＭのレベルが一致するか否かを確認した上で図示しない当該主制御ＣＰＵ６００の内部レジスタ内に格納し、その電圧異常信号ＡＬＡＲＭのレベルを確認する（ステップＳ３）。そして電圧異常信号ＡＬＡＲＭのレベルが「Ｌ」レベルであれば（ステップＳ４：ＹＥＳ）、ステップＳ３の処理に戻り、電圧異常信号ＡＬＡＲＭのレベルが「Ｈ」レベルであれば（ステップＳ４：ＮＯ）、ステップＳ５の処理に進む。すなわち、主制御ＣＰＵ６００は、電圧異常信号ＡＬＡＲＭが正常レベル（すなわち「Ｈ」レベル）に変化するまで同一の処理を繰り返す（ステップＳ３〜Ｓ４）。このように、電圧異常信号ＡＬＡＲＭを２回取得することで、正確な信号を読み込むことができる。
【００７３】
次いで、主制御ＣＰＵ６００は、主制御ＲＡＭ６２０（図３参照）へのデータ書込みを許可する（ステップＳ５）。このように、電圧異常信号ＡＬＡＲＭの正常レベル（正常値）を検出するまで主制御ＲＡＭ６２０へのデータ書き込みを禁止することにより、電源基板１３０に供給される交流電圧ＡＣ２４Ｖが安定して供給される前に、不安定な信号が主制御ＲＡＭ６２０にアクセスし、主制御ＲＡＭ６２０に記憶されているデータを書き換えてしまうという事態を防止することができる。
【００７４】
次いで、主制御ＣＰＵ６００は、演出制御基板９０に液晶表示装置４１に待機画面を表示させるような処理コマンド（演出制御コマンドＤＩ_ＣＭＤ）を送信し（ステップＳ６）、バックアップフラグＢＦＬの内容を判定する（ステップＳ７）。なお、このバックアップフラグＢＦＬとは、図１１に示す電圧監視処理の動作が実行されたか否かを示すデータである。
【００７５】
このバックアップフラグＢＦＬがＯＦＦ状態（ステップＳ７：ＯＦＦ）であれば、後述する図１１に示す電圧監視処理の動作が実行されていないこととなり、主制御ＣＰＵ６００は、主制御ＲＡＭ６２０内の全領域を全てクリアする処理を行う（ステップＳ１１）。一方、バックアップフラグＢＦＬがＯＮ状態（ステップＳ７：ＯＮ）であれば、後述する図１１に示す電圧監視処理の動作が実行されていることとなるため、主制御ＣＰＵ６００は、チェックサム値を算出するためのチェックサム演算を行う（ステップＳ８）。なお、チェックサム演算とは、主制御ＲＡＭ６２０の作業領域を対象とする８ビット加算演算である。
【００７６】
そして、主制御ＣＰＵ６００は、上記チェックサム値が算出されたら、この演算結果を主制御ＲＡＭ６２０内のＳＵＭ番地の記憶値と比較する処理を行う（ステップＳ９）。そして、記憶された演算結果は、主制御ＲＡＭ６２０内に記憶されている他のデータと共に、電源基板１３０にて生成されるバックアップ電源によって維持されている。
【００７７】
このＳＵＭ番地の記憶値と上記ステップＳ８の処理にて算出されたチェックサム値が不一致（ステップＳ９：ＮＯ）であれば、主制御ＣＰＵ６００は、主制御ＲＡＭ６２０内の全領域を全てクリアする処理を行う（ステップＳ１１）。そして一致（ステップＳ９：ＹＥＳ）していれば、主制御ＣＰＵ６００は、主制御ＲＡＭ６２０内に記憶されているデータに基づいて電源遮断時の遊技動作に復帰させる処理を行う（ステップＳ１０）。
【００７８】
かくして、主制御ＣＰＵ６００は、上記ステップＳ１０又はステップＳ１１の処理を終えた後、その内部に設けられている一定周期のパルス出力を作成する機能や時間計測の機能等を有するＣＴＣ（Ｃｏｕｎｔｅｒ  Ｔｉｍｅｒ  Ｃｉｒｃｕｉｔ）の設定を行う。すなわち、主制御ＣＰＵ６００は、４ｍｓ毎に定期的にタイマ割込みがかかるように上記ＣＴＣの時間定数レジスタを設定する（ステップＳ１２）。
【００７９】
次いで、主制御ＣＰＵ６００は、自身への割込みを禁止状態にセットした状態（ステップＳ１３）で、各種の乱数カウンタの更新処理を行う（ステップＳ１４）。この各種乱数更新処理には、普通図柄の当否抽選に使用する普通図柄当り判定用乱数の初期値変更に使用する普通図柄当り判定用初期値乱数の更新や、特別図柄変動パターンコマンドを決定するための抽選に使用する変動パターン用乱数値の更新等が含まれる。
【００８０】
そしてその後、主制御ＣＰＵ６００は、割込み許可状態に戻して（ステップＳ１５）、ステップＳ１３に戻る処理を行う。
【００８１】
＜タイマ割込み処理の説明＞
続いて、図１１を参照して、上述したメイン処理を中断させて、４ｍｓ毎に開始されるタイマ割込みプログラムについて説明する。このタイマ割込みが生じると、主制御ＣＰＵ６００内のレジスタ群の内容を主制御ＲＡＭ６２０のスタック領域に退避させる退避処理を実行し（ステップＳ２０）、その後電圧監視処理を実行する（ステップＳ２１）。この電圧監視処理は、電源基板１３０（図３参照）から出力される電圧異常信号ＡＬＡＲＭのレベルを判定し、電圧異常信号ＡＬＡＲＭが「Ｌ」レベル（異常レベル）であれば、主制御ＲＡＭ６２０内に記憶されているデータのバックアップ処理、すなわち、当該データのチェックサム値を算出し、その算出したチェックサム値をバックアップデータとして主制御ＲＡＭ６２０内に保存する処理を行う。
【００８２】
次いで、主制御ＣＰＵ６００は、上記電圧監視処理（ステップＳ２１）が終了すると、各遊技動作の時間を管理している各種タイマ（普通図柄変動タイマ、普通図柄役物タイマ等）のタイマ減算処理を行う（ステップＳ２２）。
【００８３】
そして続いて、主制御ＣＰＵ６００には、特別図柄始動口スイッチ４４ａ（図３参照）と、普通図柄始動口スイッチ４６ａ（図３参照）と、一般入賞口スイッチ４７ａ（図３参照）と、大入賞口スイッチ４５ａ（図３参照）を含む各種スイッチ類のＯＮ／ＯＦＦ信号が入力され、主制御ＲＡＭ６２０内の作業領域にＯＮ／ＯＦＦ信号レベルや、その立ち上がり状態が記憶される（ステップＳ２３）。なお、このスイッチ入力処理は、不正入賞があった場合に、立ち上がり状態を無効（入賞無効）にする処理も行い、賞球を払出すために上記大入賞口スイッチ４５ａ，一般入賞口スイッチ４７ａに何個の遊技球が入賞したのかのカウントも行っている。
【００８４】
次いで、主制御ＣＰＵ６００は、エラー管理処理を行う（ステップＳ２４）。なお、エラー管理処理は、遊技球の補給が停止したり、あるいは、遊技球が詰まったりなど、機器内部に異常が生じていないかの判定を含むものである。
【００８５】
次いで、主制御ＣＰＵ６００は、賞球管理処理を実行する（ステップＳ２５）。この賞球管理処理は、払出制御基板７０（図３参照）に払出し動作を行わせるための払出制御コマンドＰＡＹ_ＣＭＤを出力している。
【００８６】
次いで、主制御ＣＰＵ６００は、各変動表示ゲームに係る乱数を更新する乱数管理処理を実行する（ステップＳ２６）。この乱数管理処理は、当否抽選に使用する普通図柄当り判定用乱数を更新する処理や、特別図柄の種類を決める特別図柄用乱数を更新する処理等を実行するものである。
【００８７】
次いで、主制御ＣＰＵ６００は、普通図柄処理を実行する（ステップＳ２７）。この普通図柄処理は、普通図柄の当否抽選を実行、すなわち、上記ステップＳ２６にて更新処理した普通図柄当り判定用乱数の乱数値と、図１４（ａ）に示す普通図柄当たり判定テーブルＮＰＰ_ＴＢＬに格納されている判定値とを比較して、普通図柄の当たり判定を行う。この、普通図柄当たり判定テーブルＮＰＰ_ＴＢＬには、図１４（ａ）に示すように、遊技状態が通常状態の場合、下限値として２４９，上限値として２５０が格納され、遊技状態が確変状態（当たり抽選確率が通常より高確率状態である確率変動状態）の場合、下限値として４，上限値として２５０が格納されている。そのため、遊技状態が通常状態で、普通図柄当り判定用乱数の乱数値が２４９〜２５０の場合、普通図柄は当たりとなり、それ以外の乱数値はハズレとなる。そして、遊技状態が確変状態で、普通図柄当り判定用乱数の乱数値が４〜２５０の場合、普通図柄は当たりとなり、それ以外の乱数値はハズレとなる。そしてさらに、普通図柄処理は、この抽選結果に基づいて普通図柄の変動パターンや普通図柄の停止表示状態を決定する。
【００８８】
次いで、主制御ＣＰＵ６００は、特別図柄処理を実行する（ステップＳ２８）。この特別図柄処理では、特別図柄の当否抽選を実行し、その抽選の結果に基づいて特別図柄の変動パターンや特別図柄の停止表示態様を決定する。なお、この特別図柄処理の詳細については、後述することとする。
【００８９】
次いで、主制御ＣＰＵ６００は、ＬＥＤ管理処理を実行する（ステップＳ２９）。このＬＥＤ管理処理は、処理の進行状態に応じて、特別図柄表示装置４８や普通図柄表示装置４９への出力データを生成したり、当該データに基づく制御信号を出力したりする処理である。
【００９０】
次いで、主制御ＣＰＵ６００は、大入賞口４５（図２参照）等の開閉動作を実現するソレノイドの駆動処理を実行し（ステップＳ３０）、割込み許可状態に戻し（ステップＳ３１）、主制御ＲＡＭ６２０のスタック領域に退避させておいたレジスタの内容を復帰させタイマ割込みを終える（ステップＳ３２）。これにより、割込み処理ルーチンからメイン処理（図１０参照）に戻ることとなる。
【００９１】
＜特別図柄処理の説明＞
次に、図１２〜図１４を参照して、上記特別図柄処理（図１１のステップＳ２８）について詳細に説明する。図１２に示すように、特別図柄処理は、先ず、特別図柄始動口４４（図２参照）の特別図柄始動口スイッチ４４ａ（図３参照）において、遊技球の入球（入賞球）を検出した否かを確認する（ステップＳ４０）。
【００９２】
＜特別図柄処理：始動口チェック処理の説明＞
この処理について、図１３を用いて詳しく説明する。主制御ＣＰＵ６００は、特別図柄始動口４４に遊技球が入球（入賞）したか否かを確認、すなわち、特別図柄始動口４４の特別図柄始動口スイッチ４４ａのレベルを確認する（ステップＳ５０）。これにより、遊技球の入球（入賞）を検出しなければ（ステップＳ５０：ＮＯ）、始動口チェック処理を終える。
【００９３】
一方、遊技球の入球（入賞）を検出すれば（ステップＳ５０：ＹＥＳ）、主制御ＣＰＵ６００は、始動保留球が所定数、主制御ＲＡＭ６２０内の始動保留記憶領域に格納されているか否かを確認する（ステップＳ５１）。その始動保留球数が、４未満であれば（ステップ５１：≠ＭＡＸ）、当該始動保留球数を１加算（＋１）する（ステップＳ５２）。
【００９４】
次いで、主制御ＣＰＵ６００は、図１１に示すステップＳ２６にて管理されている特別図柄の変動停止の際用いられる乱数値及び変動パターン用乱数値を始動保留球数が格納されている主制御ＲＡＭ６２０内の始動保留記憶領域に格納する（ステップＳ５３）。
【００９５】
次いで、主制御ＣＰＵ６００は、現在の遊技状態（特別図柄大当たり判定フラグがＯＮに設定されているか否か等）を確認し、先読み禁止状態か否かを判定する（ステップＳ５４）。そして、先読み禁止状態でなければ（ステップＳ５４：ＮＯ）、主制御ＣＰＵ６００は、上記ステップＳ５３にて主制御ＲＡＭ６２０内の始動保留記憶領域に格納した特別図柄の当否抽選に用いられる大当たり判定用乱数値を取得し（ステップＳ５５）、さらに、図示しない始動口入賞時乱数判定テーブルを取得する（ステップＳ５６）。
【００９６】
次いで、主制御ＣＰＵ６００は、上記ステップＳ５５にて取得した大当たり判定用乱数値及びステップＳ５６にて取得した始動口入賞時乱数判定テーブル（図示せず）を用いて、大当たり抽選を行い、さらに、上記ステップＳ５３にて主制御ＲＡＭ６２０内の始動保留記憶領域に格納した特別図柄用乱数値を用いて、大当たりの種類（１６Ｒ確変大当り、１６Ｒ非確変大当たり等）を決定し、変動パターン用乱数値を用いて、変動パターンを決定し、それに応じた特別図柄始動口入賞コマンドを生成する（ステップＳ５７）。
【００９７】
次いで、主制御ＣＰＵ６００は、上記生成された特別図柄始動口入賞コマンドに応じた下位バイトの始動保留加算コマンドを生成する（ステップＳ５８）。
【００９８】
一方、主制御ＣＰＵ６００は、上記ステップＳ５８の処理を終えるか、又は、上記ステップＳ５１にて始動保留球が４以上であるか（ステップＳ５１：＝ＭＡＸ）、あるいは、先読み禁止状態であれば（ステップＳ５４：ＹＥＳ）、増加した始動保留球数に応じた上位バイトの始動保留加算コマンドを生成する（ステップＳ５９）。
【００９９】
次いで、主制御ＣＰＵ６００は、上記ステップＳ５８にて生成した下位バイトの始動保留加算コマンドと、上記ステップＳ５９にて生成した上位バイトの始動保留加算コマンドとを結合した上で、始動保留加算コマンド（演出制御コマンドＤＩ_ＣＭＤ）として、演出制御基板９０（図３参照）に送信する処理を行う（ステップＳ６０）。
【０１００】
かくして、上記のような処理を終えた後、主制御ＣＰＵ６００は、始動口チェック処理の処理を終える。
【０１０１】
＜特別図柄処理の説明＞
次いで、主制御ＣＰＵ６００は、図１２に示すステップＳ４０の処理を終えると、特別図柄小当たり作動フラグがＯＮに設定されているか、すなわち、特別図柄小当たり作動フラグに５ＡＨが設定されているかを確認する（ステップＳ４１）。特別図柄小当たり作動フラグに５ＡＨが設定されていれば（ステップＳ４１：ＯＮ）、特別図柄が小当たり中であると判断し、特別図柄の表示データの更新を行った後（ステップＳ４７）、特別図柄処理を終える。
【０１０２】
一方、特別図柄小当たり作動フラグに５ＡＨが設定されていなければ（ステップＳ４１：ＯＦＦ）、特別図柄大当たり作動フラグがＯＮに設定されているか、すなわち、特別図柄大当たり作動フラグに５ＡＨが設定されているかを確認する（ステップＳ４２）。特別図柄大当たり作動フラグに５ＡＨが設定されていれば（ステップＳ４２：ＯＮ）、特別図柄が大当たり中であると判断し、特別図柄の表示データの更新を行った後（ステップＳ４７）、特別図柄処理を終える。
【０１０３】
次いで、主制御ＣＰＵ６００は、特別図柄の挙動を示す処理状態、すなわち、特別図柄動作ステータスフラグの値を確認する（ステップＳ４３）。より詳しく説明すると、主制御ＣＰＵ６００は、特別図柄動作ステータスフラグの値が００Ｈ又は０１Ｈであれば、特別図柄変動待機中（特別図柄の変動が行われておらず次回の変動のための待機状態であることを示す）であると判定し、特別図柄変動開始処理を行う（ステップＳ４４）。この際、特別図柄の当否抽選が実行される。すなわち、主制御ＣＰＵ６００内に内蔵されているハードウェア乱数（ハードウェア回路が発生する乱数）の値（大当たり判定用乱数値）を取得し、その取得した大当たり判定用乱数値と、図１４（ｂ）に示す特別図柄大当たり判定テーブルＳＤＨ_ＴＢＬに格納されている判定値とを比較、又は、図１４（ｃ）に示す特別図柄小当たり判定テーブルＳＤＰ_ＴＢＬに格納されている判定値とを比較して、特別図柄の当たり判定を行う。すなわち、特別図柄大当たり判定テーブルＳＤＨ_ＴＢＬには、図１４（ｂ）に示すように、遊技状態が通常状態の場合、下限値として１０００１，上限値として１０１６４が格納され、遊技状態が確変状態（当たり抽選確率が通常より高確率状態である確率変動状態）の場合、下限値として１０００１，上限値として１１６４０が格納されている。そのため、遊技状態が通常状態で、大当たり判定用乱数値が１０００１〜１０１６４の場合、特別図柄は大当たりとなり、それ以外の乱数値はハズレとなる。そして、遊技状態が確変状態で、大当たり判定用乱数値が１０００１〜１１６４０の場合、特別図柄は大当たりとなり、それ以外の乱数値はハズレとなる。また、特別図柄小当たり判定テーブルＳＤＰ_ＴＢＬには、図１４（ｃ）に示すように、下限値として２０００１，上限値として２０１６４が格納されている。そのため、大当たり判定用乱数値が２０００１〜２０１６４の場合、特別図柄は小当たりとなり、それ以外の乱数値はハズレとなる。そしてこの抽選結果による特別図柄の変動パターン指定コマンド（演出制御コマンドＤＩ_ＣＭＤ）が演出制御基板９０（図３参照）に送信される（ステップＳ４４）。この際、演出制御基板９０（演出制御ＣＰＵ９００）は、上記演出制御コマンドＤＩ_ＣＭＤに基づいて、演出パターンの抽選を行う。そして、この抽選結果によるリーチ演出が、図４〜図９に示すように液晶表示装置４１に表示されることとなる。
【０１０４】
一方、特別図柄動作ステータスフラグの値が０２Ｈの場合、主制御ＣＰＵ６００は、特別図柄変動中（特別図柄が現在変動中であることを示す）であると判定し、特別図柄変動中処理を行う（ステップＳ４５）。この特別図柄変動中処理にて、特別図柄の変動停止コマンド（演出制御コマンドＤＩ_ＣＭＤ）が演出制御基板９０（図３参照）に送信される。これにより、液晶表示装置４１に表示される特別図柄が上記特別図柄変動開始処理にて生成された特別図柄の停止図柄の内容にて停止することとなる。なお、このような処理を終えた後、特別図柄動作ステータスフラグの値に０３Ｈがセットされることとなる。
【０１０５】
一方、特別図柄動作ステータスフラグの値が０３Ｈの場合、主制御ＣＰＵ６００は、特別図柄確認中（特別図柄の変動が終了して停止中であることを示す）であると判定し、特別図柄確認時間中処理を行う（ステップＳ４６）。なお、このような処理を終えた後、特別図柄動作ステータスフラグの値に００Ｈがセットされることとなる。
【０１０６】
かくして、主制御ＣＰＵ６００は、上記ステップＳ４４〜Ｓ４６の何れかの処理を終えた後、特別図柄の表示データの更新を行い（ステップＳ４７）、特別図柄処理を終える。
【０１０７】
＜演出制御基板処理の説明＞
次に、本発明の特徴部分に係る演出制御基板９０の演出制御ＲＯＭ９１０内に格納されているプログラムの概要を図１５〜図１７を用いて説明する。
【０１０８】
＜演出制御基板：メイン処理の説明＞
まず、パチンコ遊技機１に電源が投入されると、電源基板１３０（図３参照）から各制御基板に電源が投入された旨の電源投入信号が送られ、その信号を受けて、演出制御ＣＰＵ９００は、図１５に示す演出制御メイン処理を行う。演出制御ＣＰＵ９００は、まず、内部に設けられているレジスタを初期化すると共に、入出力ポートの入出力方向を設定する。そしてさらに、出力方向に設定された出力ポートから送信されるデータがシリアル転送となるように設定する（ステップＳ１００）。
【０１０９】
その設定後、演出制御ＣＰＵ９００は、上記主制御基板６０（主制御ＣＰＵ６００）から受信する演出制御コマンドＤＩ_ＣＭＤを格納する演出制御ＲＡＭ９２０内のメモリ領域を初期化する（ステップＳ１０１）。そして、演出制御ＣＰＵ９００は、上記主制御基板６０（主制御ＣＰＵ６００）からの割込み信号を受信する入力ポートの割込み許可設定処理を行う（ステップＳ１０２）。
【０１１０】
次いで、演出制御ＣＰＵ９００は、作業領域、スタック領域として使用する演出制御ＲＡＭ９２０内のメモリ領域を初期化し（ステップＳ１０３）、音ＬＳＩ９３０（図３参照）に初期化指令を行う。これにより、音ＬＳＩ９３０は、その内部に設けられているレジスタを初期化する（ステップＳ１０４）。
【０１１１】
次いで、演出制御ＣＰＵ９００は、可動役物装置４３を動作させるモータに異常が発生しているか否か、そのモータを動作させるモータデータが格納される演出制御ＲＡＭ９２０内のメモリ領域を確認する。異常データが格納されている場合は、演出制御ＣＰＵ９００は、当該モータを原点位置に戻す指令を行う。これにより、可動役物装置４３は初期位置に戻ることとなる（ステップＳ１０５）。
【０１１２】
次いで、演出制御ＣＰＵ９００は、その内部に設けられている一定周期のパルス出力を作成する機能や時間計測の機能等を有するＣＴＣ（Ｃｏｕｎｔｅｒ  Ｔｉｍｅｒ  Ｃｉｒｃｕｉｔ）の設定を行う。すなわち、演出制御ＣＰＵ９００は、１ｍｓ毎に定期的にタイマ割込みがかかるように上記ＣＴＣの時間定数レジスタを設定する（ステップＳ１０６）。
【０１１３】
上記処理を終えた後、演出制御ＣＰＵ９００は、メインループ更新周期か否かを確認する。具体的には、０〜３１までループ状にカウントするメインループカウンタＭＬ_ＣＮＴを１６分周（すなわち、１６で除算）した際の余りを確認し、その余りが０であれば（ステップＳ１０７：ＹＥＳ）、ステップＳ１０９に進み、０以外であれば（ステップＳ１０７：ＮＯ）、予告演出乱数カウンタの乱数値等を更新する処理を行う（ステップＳ１０８）。なお、メインループカウンタＭＬ_ＣＮＴのインクリメント（＋１）方法については、後述することとする。
【０１１４】
次いで、演出制御ＣＰＵ９００は、後述するステップＳ１１１にて生成された装飾ランプ基板１００（図３参照）に搭載されているＬＥＤランプ等の装飾ランプをそれぞれ点灯又は消灯させるのに必要な制御信号を演出制御ＲＡＭ９２０内のメモリ領域に書込みする処理を行う（ステップＳ１０９）。
【０１１５】
続いて、演出制御ＣＰＵ９００は、上記演出制御ＲＡＭ９２０内のメモリ領域に格納されている上記主制御基板６０（主制御ＣＰＵ６００）から受信する演出制御コマンドＤＩ_ＣＭＤを読み出し、その内容に応じた演出パターンを、演出制御ＲＯＭ９１０内に予め格納しておいた多数の演出パターンの中から抽選により決定する。この決定した演出パターンが液晶制御コマンドＬＣＤ_ＣＭＤとして上記演出制御ＲＡＭ９２０内のメモリ領域に格納される（ステップＳ１１０）。これにより、図４〜図９に示すような画面が液晶表示装置４１に表示されることとなる。より詳しく説明すると、演出制御ＲＡＭ９２０内に格納された液晶制御コマンドＬＣＤ_ＣＭＤが、後述する図１７に示すタイマ割込み処理の際、液晶制御基板１２０（図３参照）に送信され、当該液晶制御基板１２０にてその液晶制御コマンドＬＣＤ_ＣＭＤに応じた内容が液晶表示装置４１に表示されるように処理される。すなわち、図４〜図９に示す画面を液晶表示装置４１に表示させるにあたって、ＶＤＰ１２００（図３参照）が、上記液晶制御コマンドＬＣＤ_ＣＭＤに応じた画像データをＣＧＲＯＭ１２１０（図３参照）より読み出し、ＤＤＲ２ＳＤＲＡＭ１２２０（図３参照）を用いて処理する。これにより、図４〜図９に示すような画面が液晶表示装置４１に表示されることとなる。
【０１１６】
しかして、遊技者は、このような処理によって液晶表示装置４１に表示された画面を確認し、もって、変動表示結果が「ハズレ」であることを認識することができる。それゆえ、遊技者の誤認を低減させることができる。なお、上述したように、図６（ｂ）に示すようなモノクロ画像を液晶表示装置４１に表示させるにあたっては、ＶＤＰ１２００（図３参照）にて、図６（ａ）に示すカラー画像がモノクロ画像となるように処理するか、又は、ＣＧＲＯＭ１２１０（図３参照）内に図６（ａ）に示すカラー画像と図６（ｂ）に示すモノクロ画像を２つ記憶させておき、ＶＤＰ１２００（図３参照）にて、図６（ａ）に示すカラー画像を図６（ｂ）に示すモノクロ画像に差替えるように処理することができる。
【０１１７】
次いで、演出制御ＣＰＵ９００は、上記ステップＳ１１０の処理を終えた後、上記決定された演出パターンに対応するＢＧＭ又は効果音等の音を決定すると共に、可動役物装置４３を可動させるモータの動作内容及びソレノイドの動作内容を決定する。そして、上記決定された演出パターン内に、演出ボタン装置１３（図１参照）を遊技者に押下させるような演出があるか否かも決定される（ステップＳ１１１）。この際、図８（ａ）に示す画面が液晶表示装置４１に表示されていた際、ＢＧＭ等の音ＭＵが発せられるという内容が決定され、抽選結果が遊技者に有利な特別遊技状態を発生させない（いわゆる「ハズレ」）抽選結果であった場合、図８（ｂ）に示すように、ＢＧＭ等の音ＭＵがスピーカ１６より発せられなくなるということが決定される。さらには、図９（ａ）に示す画面が液晶表示装置４１に表示されていた際、ＬＥＤランプ等の装飾ランプが点滅（点灯又は消灯が繰り返されるランプ演出）されることが決定され、抽選結果が遊技者に有利な特別遊技状態を発生させない（いわゆる「ハズレ」）抽選結果であった場合、図９（ｂ）に示すように、点滅していた装飾ランプが消灯するということが決定される。
【０１１８】
なお、抽選結果が遊技者に有利な特別遊技状態を発生させない（いわゆる「ハズレ」）抽選結果であった場合に、抽選結果が遊技者に有利な特別遊技状態を発生させる（いわゆる「大当たり」）抽選結果の際スピーカ１６より発せられる音の音量よりも小さくすると共に音の長さを短くする場合、この内容がステップＳ１１１にて決定されることとなる。また、通常遊技状態にて実行されるランプ演出と同じ点滅（点灯又は消灯）をさせるか、又、装飾ランプより発せられる色を青緑、青、青紫などの冷たさを感じさせる寒色だけで点灯させる際も、このステップＳ１１１にて決定されることとなる。さらに、抽選結果が遊技者に有利な特別遊技状態を発生させる（いわゆる「大当たり」）抽選結果の際実行されるランプ演出にて発せられる装飾ランプの光量に比べ少ない光量にて装飾ランプを発光させるか、及び／又は、抽選結果が遊技者に有利な特別遊技状態を発生させる（いわゆる「大当たり」）抽選結果の際実行されるランプ演出にて発せられる装飾ランプの点灯パターンの変化よりも少ない点灯パターンにする際にも、このステップＳ１１１にて決定されることとなる。
【０１１９】
次いで、演出制御ＣＰＵ９００は、上記決定された音に関する制御信号を音ＬＳＩ９３０に送信する。そして、音ＬＳＩ９３０は、その制御信号に応じたＢＧＭあるいは効果音を音ＲＯＭ９４０から読み出す。これにより、音ＬＳＩ９３０は、その読み出した音データに基づく処理を行い、音源データとしてスピーカ１６へ出力する処理を行う（ステップＳ１１２）。この際、図８（ａ）に示す画面が液晶表示装置４１に表示されていた際、ＢＧＭ等の音ＭＵが発せられ、抽選結果が遊技者に有利な特別遊技状態を発生させない（いわゆる「ハズレ」）抽選結果であった場合、図８（ｂ）に示すように、ＢＧＭ等の音ＭＵがスピーカ１６より発せられなくなることとなる。
【０１２０】
しかして、遊技者は、スピーカ１６（図２参照）より何の音も発せられない、無音となったことにより、変動表示結果が「ハズレ」であることを認識することができ、もって、遊技者の誤認を低減させることができる。
【０１２１】
次いで、演出制御ＣＰＵ９００は、ステップＳ１１１にて決定されたソレノイドの動作内容に応じたソレノイドデータを生成し、その生成したソレノイドデータを演出制御ＲＡＭ９２０内に格納する（ステップＳ１１３）。
【０１２２】
次いで、演出制御ＣＰＵ９００は、上記ステップＳ１１２の処理に関し、音ＬＳＩ９３０が音データ等をデコード処理する際、ノイズ等により何らかのエラーが発生していないかを、当該音ＬＳＩ９３０にアクセスし確認する（ステップＳ１１４）。
【０１２３】
かくして、演出制御ＣＰＵ９００は、上記ステップＳ１１４の処理を終えた後、再度ステップＳ１０７の処理に戻り、ステップＳ１０７〜Ｓ１１４の処理を繰り返すこととなる。
【０１２４】
＜演出制御基板：コマンド受信割込み処理の説明＞
続いて、図１６を参照して、このような演出制御メイン処理の実行中に、主制御基板６０（主制御ＣＰＵ６００）より演出制御コマンドＤＩ_ＣＮＤ及び割込み信号が送信されてきた際の処理について説明する。
【０１２５】
図１６に示すように、演出制御ＣＰＵ９００は、上記割込み信号を受信した際、各レジスタの内容を演出制御ＲＡＭ９２０内のスタック領域に退避させる退避処理を実行する（ステップＳ２００）。その後、演出制御ＣＰＵ９００は、演出制御コマンドＤＩ_ＣＭＤを受信した入力ポートのレジスタを読み出し（ステップＳ２０１）、演出制御ＲＡＭ９２０内のコマンド送受信用メモリ領域のアドレス番地を示すポインタを算出する（ステップＳ２０２）。
【０１２６】
そしてその後、演出制御ＣＰＵ９００は、再度、演出制御コマンドＤＩ_ＣＭＤを受信した入力ポートのレジスタを読み出し（ステップＳ２０３）、ステップＳ２０１にて読み出した値とステップＳ２０３にて読み出した値が一致しているか否かを確認する（ステップＳ２０４）。一致していなければ（ステップＳ２０４：ＮＯ）、ステップＳ２０７に進み、一致していれば（ステップＳ２０４：ＹＥＳ）、上記算出したポインタに対応するアドレス番地に、主制御基板６０（主制御ＣＰＵ６００）より受信した演出制御コマンドＤＩ_ＣＭＤを格納する（ステップＳ２０５）。なお、この格納された演出制御コマンドＤＩ_ＣＭＤが、図１５に示すステップＳ１１０の処理の際、演出制御ＣＰＵ９００に読み出されることとなる。
【０１２７】
次いで、演出制御ＣＰＵ９００は、演出制御ＲＡＭ９２０内のコマンド送受信用メモリ領域のアドレス番地を示すポインタを更新し（ステップＳ２０６）、ステップＳ２００の処理で退避しておいたレジスタを復帰させる（ステップＳ２０７）。これにより、図１５に示す演出制御メイン処理に戻ることとなる。
【０１２８】
＜演出制御基板：タイマ割込み処理の説明＞
続いて、図１７を参照して、演出制御メイン処理のステップＳ１０６（図１５参照）の処理にて設定した、１ｍｓ毎のタイマ割込みが発生した際の処理について説明する。
【０１２９】
図１７に示すように、演出制御ＣＰＵ９００は、１ｍｓ毎のタイマ割込みが発生した際、各レジスタの内容を演出制御ＲＡＭ９２０内のスタック領域に退避させる退避処理を実行する（ステップＳ３００）。その後、演出制御ＣＰＵ９００は、当該演出制御ＣＰＵ９００内に設けられている入出力ポートのレジスタをリフレッシュする（ステップＳ３０１）。
【０１３０】
続いて、演出制御ＣＰＵ９００は、図１５に示すステップＳ１１３にて処理した演出制御ＲＡＭ９２０内のメモリ領域に格納されているソレノイドデータを出力ポートよりシリアル転送で送信する。これにより、可動役物装置４３が動作することとなる。またさらに、演出制御ＣＰＵ９００は、演出制御ＲＡＭ９２０内のメモリ領域に格納されているモータデータを出力ポートよりシリアル転送で送信する。これにより、可動役物装置４３が、そのモータデータに基づいた動作をすることとなる（ステップＳ３０２）。
【０１３１】
次いで、演出制御ＣＰＵ９００は、演出ボタン装置１３からの信号を受信する（ステップＳ３０３）。なお、演出ボタン装置１３が遊技者によって押下されていた場合、演出制御ＣＰＵ９００は、図１５に示すステップＳ１１１の処理を行う際、演出ボタン装置１３が押下されたことを考慮した演出パターンを決定することとなる。
【０１３２】
次いで、演出制御ＣＰＵ９００は、可動役物装置４３のモータ（図示せず）の位置を検出するモータセンサから送信される検出データに基づきモータの位置を確認する（ステップＳ３０４）。
【０１３３】
次いで、演出制御ＣＰＵ９００は、図１５に示すステップＳ１１０の処理にて演出制御ＲＡＭ９２０内のメモリ領域に格納された液晶制御コマンドＬＣＤ_ＣＭＤを液晶制御基板１２０（図３参照）に送信する（ステップＳ３０５）。これにより、液晶表示装置４１に、その液晶制御コマンドＬＣＤ_ＣＭＤに応じた内容、すなわち、図４〜図９に示すような画面が液晶表示装置４１に表示されることとなる。
【０１３４】
次いで、演出制御ＣＰＵ９００は、上記ステップＳ３０４にて確認したモータの位置に基づき、図１５に示すステップＳ１１１にて決定された可動役物装置４３を可動させるモータの動作内容に応じたモータデータを生成した上で、演出制御ＲＡＭ９２０内のメモリ領域に格納する（ステップＳ３０６）。なお、この演出制御ＲＡＭ９２０内のメモリ領域に格納されたモータデータが、次の１ｍｓのタイマ割込みの際、ステップＳ３０２の処理にて出力ポートよりシリアル転送にて送信されることとなる。
【０１３５】
次いで、演出制御ＣＰＵ９００は、図１５に示すステップＳ１０９の処理にて演出制御ＲＡＭ９２０内に格納した装飾ランプ基板１００（図３参照）に搭載されているＬＥＤランプ等の装飾ランプをそれぞれ点灯又は消灯させるのに必要な制御信号を装飾ランプ基板１００に送信する（ステップＳ３０７）。これにより、ＬＥＤランプ等の装飾ランプがそれぞれ点灯又は消灯することとなり、所望のランプ演出が行われることとなる。この際、図９（ａ）に示す画面が液晶表示装置４１に表示されていた際、ＬＥＤランプ等の装飾ランプが点滅（点灯又は消灯が繰り返されるランプ演出）する。なお、図９（ａ）では、上飾り４２ａに配設されている装飾ランプが点滅している状態を示している。そして、抽選結果が遊技者に有利な特別遊技状態を発生させない（いわゆる「ハズレ」）抽選結果であった場合、図９（ｂ）に示すように、先程まで点滅していた装飾ランプが消灯することとなる。なお、図示では、上飾り４２ａに配設されている装飾ランプが消灯している状態を示している。
【０１３６】
しかして、遊技者は、装飾ランプが消灯することにより、変動表示結果が「ハズレ」であることを認識することができ、もって、遊技者の誤認を低減させることができる。
【０１３７】
次いで、演出制御ＣＰＵ９００は、図１５に示すステップＳ１０７の処理にて用いる０〜３１までループ状にカウントするメインループカウンタＭＬ_ＣＮＴをインクリメント（＋１）し、そのインクリメントした値を１６分周（すなわち、１６で除算）する処理を行う（ステップＳ３０８）。そしてその後、演出制御ＣＰＵ９００は、ステップＳ３００の処理で退避しておいたレジスタを復帰させる（ステップＳ３０９）。これにより、図１５に示す演出制御メイン処理に戻ることとなる。
【０１３８】
しかして、以上説明した本実施形態によれば、抽選結果が遊技者に有利な特別遊技状態を発生させない（いわゆる「ハズレ」）抽選結果であった場合に、遊技者の誤認を低減させることができる。
【０１３９】
なお、本実施形態においては、リーチ演出を例に説明したが、それに限らず、抽選結果が遊技者に有利な特別遊技状態を発生させる（いわゆる「大当たり」）か否かの分岐演出（例えば、ステップアップ予告の予告演出）であれば、どのような演出にも適用可能である。
【０１４０】
また、本実施形態においては、演出制御基板９０と液晶制御基板１２０を別々に設ける例を示したが、一体的に設けても良い。
【符号の説明】
【０１４１】
１                      パチンコ遊技機
１６                    スピーカ（音出力手段）
４１                    液晶表示装置（表示手段）
９１０                  演出制御ＲＯＭ（演出表示態様記憶手段）
ＭＵ                    音
【図１】
0006689059.tif 000002
【図２】
0006689059.tif 000003
【図３】
0006689059.tif 000004
【図４】
0006689059.tif 000005
【図５】
0006689059.tif 000006
【図６】
0006689059.tif 000007
【図７】
0006689059.tif 000008
【図８】
0006689059.tif 000009
【図９】
0006689059.tif 000010
【図１０】
0006689059.tif 000011
【図１１】
0006689059.tif 000012
【図１２】
0006689059.tif 000013
【図１３】
0006689059.tif 000014
【図１４】
0006689059.tif 000015
【図１５】
0006689059.tif 000016
【図１６】
0006689059.tif 000017
【図１７】
0006689059.tif 000018